【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
圧力検出器に接続された第１ケーブル及び温度検出器に接続された第２ケーブルが内部に敷設されたケーブル収納管路に取り付けられたケーブル収納管路固定装置を、放射性物質を収納した放射性物質収納容器の外面上に配置し、
前記ケーブル収納管路固定装置に含まれる第１マグネットホルダーの切換レバーをＯＮの位置まで回転させ、磁力の作用により前記第１マグネットホルダーを放射性物質収納容器の外面に吸着させて前記ケーブル収納管路を前記外面に固定することを特徴とする放射性物質収納容器への監視装置の固定方法。
【請求項２】
対向する一対の側壁及び前記一対の側壁の下端部をつないでいる底部を有するトレイ部材及び前記トレイ部材の開口部を覆って前記トレイ部材に取り外し可能に取り付けられるカバー部材を有する横断面が矩形のケーブルトレイの、前記カバー部材を取り外した前記トレイ部材に取り付けられたケーブル収納管路固定装置を、放射性物質を収納した放射性物質収納容器の外面上に配置し、
前記ケーブル収納管路固定装置に含まれる第１マグネットホルダーの切換レバーをＯＮの位置まで回転させ、磁力の作用により前記第１マグネットホルダーを放射性物質収納容器の外面に吸着させて前記トレイ部材を前記外面に固定し、
圧力検出器に接続された第１ケーブル及び温度検出器に接続された第２ケーブルを前記トレイ部材内に敷設し、
前記カバー部材を、前記開口部を覆って前記トレイ部材に取り外し可能に取り付けることを特徴とする放射性物質収納容器への監視装置の固定方法。
【請求項３】
前記放射性物質収納容器に設けられる一次蓋と前記一次蓋を覆って前記放射性物質収納容器に設けられる二次蓋の間に形成される空間に連絡されて前記二次蓋に設けられる圧力監視系に、前記第１ケーブルに接続された圧力検出装置を取り付ける請求項１または２に記載の放射性物質収納容器への監視装置の固定方法。
【請求項４】
温度検出器固定装置に含まれる第２マグネットホルダーの切換レバーをＯＮの位置まで回転させ、磁力の作用により前記第２マグネットホルダーを放射性物質収納容器の外面に吸着させて前記温度検出器固定装置を前記外面に固定し、
前記温度検出器固定装置の前記第２ケーブルに接続される温度検出装置を、温度検出器固定装置に含まれる温度検出器保持部材によって放射性物質収納容器の外面に押し付ける請求項１または２に記載の放射性物質収納容器への監視装置の固定方法。
【請求項５】
前記温度検出器保持部材が、前記第２マグネットホルダーに取り付けられる支持部材、前記支持部材に取り付けられた押し付け部材及び前記押し付け部材の下端部に取り付けられた押さえ部材を有しており、
温度検出装置の、前記放射性物質収納容器の外面への押し付けは、前記放射性物質収納容器の外面に向かって移動可能な前記押し付け部材に取り付けられた前記押さえ部材によって行われる請求項４に記載の放射性物質収納容器への監視装置の固定方法。
【請求項６】
前記ケーブル収納管路として、対向する一対の側壁及び前記一対の側壁の下端部をつないでいる底部を有するトレイ部材及び前記トレイ部材の開口部を覆って前記トレイ部材に取り外し可能に取り付けられるカバー部材を有する横断面が矩形のケーブルトレイを用いる請求項１に記載の放射性物質収納容器への監視装置の固定方法。
【請求項７】
前記ケーブル収納管路固定装置として、前記トレイ部材の前記底部の下面に取り付けられる前記第１マグネットホルダーを含むケーブル収納管路固定装置を用いる請求項２または６に記載の放射性物質収納容器への監視装置の固定方法。
【請求項８】
前記ケーブル収納管路固定装置として、前記トレイ部材の前記一対の側壁のそれぞれの外面に別々に取り付けられる前記第１マグネットホルダーを含むケーブル収納管路固定装置を用いる請求項２または６に記載の放射性物質収納容器への監視装置の固定方法。
【請求項９】
前記ケーブル収納管路固定装置として、前記トレイ部材の前記底部の下面に取り付けられたフレーム、及び前記フレームの下面に、相互間に間隔を持って取り付けられた一対の前記第１マグネットホルダーを含むケーブル収納管路固定装置を用いる請求項２または６に記載の放射性物質収納容器への監視装置の固定方法。
【請求項１０】
前記ケーブル収納管路固定装置として、前記トレイ部材のそれぞれの前記側壁の外面と前記第１マグネットホルダーの間に、前記放射性物質収納容器の前記外面に向かって厚みが減少するスペーサ部材が配置されたケーブル収納管路固定装置を用いる請求項８に記載の放射性物質収納容器への監視装置の固定方法。
【請求項１１】
前記第１マグネットホルダーが前記放射性物質収納容器の前記外面への固定は、前記第１マグネットホルダーの中心軸が前記放射性物質収納容器の法線方向に向かうように行われる請求項７ないし９のいずれか１項に記載の放射性物質収納容器への監視装置の固定方法。
【請求項１２】
前記ケーブル収納管路が電線管及びフレキシブルチューブのいずれかであるとき、前記ケーブル収納管路固定装置として、フレーム、及び前記フレームの下面に、相互間に間隔を持って取り付けられた一対の前記第１マグネットホルダー、及び前記フレームに前記電線管及び前記フレキシブルチューブのいずれかを取り付ける固定部材を含むケーブル収納管路固定装置を用いる請求項１または６に記載の放射性物質収納容器への監視装置の固定方法。
【請求項１３】
放射性物質を収納する内筒と、前記内筒を取り囲む外筒と、前記内筒の上端部に取り外し可能に取り付けられる一次蓋と、前記一次蓋を覆って前記内筒に取り外し可能に取り付けられる二次蓋と、前記二次蓋に保持され、前記一次蓋と前記二次蓋の間に形成される空間の圧力を検出する圧力検出装置と、前記外筒の外面に接触してこの外面の温度を検出する温度検出装置と、前記圧力検出装置に接続された第１ケーブル及び前記温度検出装置に接続された第２ケーブルを内部に敷設したケーブル収納管路と、前記ケーブル収納管路に取り付けられたケーブル収納管路固定装置とを備え、
前記ケーブル収納管路固定装置が、切換レバーを有し、前記外筒の前記外面に固定される第１マグネットホルダーを含んでいることを特徴とする放射性物質収納容器。
【請求項１４】
前記ケーブル収納管路が、対向する一対の側壁及び前記一対の側壁の下端部をつないでいる底部を有するトレイ部材及び前記トレイ部材の開口部を覆って前記トレイ部材に取り外し可能に取り付けられるカバー部材を有する横断面が矩形のケーブルトレイである請求項１３の放射性物質収納容器。
【請求項１５】
前記ケーブル収納管路固定装置が、前記トレイ部材の前記底部の下面に取り付けられる前記第１マグネットホルダーを含むケーブル収納管路固定装置である請求項１４に記載の放射性物質収納容器。
【請求項１６】
前記ケーブル収納管路固定装置が、前記トレイ部材の前記一対の側壁のそれぞれの外面に別々に取り付けられる前記第１マグネットホルダーを含むケーブル収納管路固定装置である請求項１４に記載の放射性物質収納容器。
【請求項１７】
前記ケーブル収納管路固定装置が、前記トレイ部材の前記底部の下面に取り付けられたフレーム、及び前記フレームの下面に、相互間に間隔を持って取り付けられた一対の前記第１マグネットホルダーを含むケーブル収納管路固定装置である請求項１４に記載の放射性物質収納容器。
【請求項１８】
前記ケーブル収納管路が電線管及びフレキシブルチューブのいずれかであり、
前記ケーブル収納管路固定装置が、フレーム、及び前記フレームの下面に、相互間に間隔を持って取り付けられた一対の前記第１マグネットホルダー、及び前記フレームに前記電線管及び前記フレキシブルチューブのいずれかを取り付ける固定部材を含むケーブル収納管路固定装置である請求項１３に記載の放射性物質収納容器。
【請求項１９】
切換レバーを有し、前記外筒の前記外面に固定される第２マグネットホルダー、及び前記温度検出装置を前記外筒の前記外面に押し付ける温度検出器保持部材を含む温度検出器固定装置を備えた請求項１３ないし１８のいずれか１項に記載の放射性物質収納容器。
【請求項２０】
前記温度検出器保持部材が、前記第２マグネットホルダーに取り付けられる支持部材、前記支持部材に取り付けられた押し付け部材及び前記押し付け部材の下端部に取り付けられ、前記温度検出装置を前記放射性物質収納容器の前記外面に押し付ける押さえ部材を有する請求項１９に記載の放射性物質収納容器。
【手続補正２】
【補正対象書類名】明細書
【補正対象項目名】００３４
【補正方法】変更
【補正の内容】
【００３４】
放射性物質収納容器１を原子力発電所から放射性物質貯蔵施設まで移送する際には、前述したように放射性物質収納容器１の外面での突起物の形成を避けるために、突起物となるカバー部材４が放射性物質収納容器１の二次蓋３に取り付けられていない。カバー部材４の替りとして輸送用カバー３１が図６に示すように複数のボルト６により二次蓋３に取り付けられている。輸送用カバー３１は、円板状のカバー部３１Ａ及びカバー部３１Ａの下面に設けられる円筒部３１Ｂを有する。輸送用カバー３１が二次蓋３に取り付けられているとき、円筒部３１Ｂが二次蓋３に形成された窪み４２内に挿入され、カバー部３１Ａが窪み４２内の圧力監視系７を覆って複数のボルト６により二次蓋３に取り付けられている。このとき、カバー部３１Ａの上面は、二次蓋３の上面と同じレベルに位置し、二次蓋３の上面よりも上方に突出していない。なお、二つの輸送用カバー３１が二つの窪み４２を別々に覆って二次蓋３に取り付けられている。
【手続補正３】
【補正対象書類名】明細書
【補正対象項目名】００３５
【補正方法】変更
【補正の内容】
【００３５】
本実施例の放射性物質収納容器への監視装置の固定方法を具体的に説明する。この放射性物質収納容器への監視装置の固定に必要な全ての作業は、作業員によって実施される。放射性物質貯蔵施設内の貯蔵エリアにおいて、貯蔵架台３６は貯蔵エリアの床面３５上に置かれている。使用済燃料集合体を収納した放射性物質収納容器１が放射性物質貯蔵施設内の貯蔵エリアに搬入されて貯蔵架台３６上に設置された後、前述したように、二つのカバー部材４が別々にそれぞれの窪み４２を覆うように二次蓋３に取り付けられるが、カバー部材４の取り付けの前に、放射性物質収納容器１の移送時に二次蓋３に取り付けられていた二つの輸送用カバー３１が作業員によって取り外される。その後、二つの圧力検出器１２が、それぞれの窪み４２内に設置された各圧力監視系７の圧力伝播管に接続される。すなわち、圧力検出器１２は、ブロック４１内にＵ字状の圧力伝播通路の前述の他端に連絡された他の圧力伝播管の端部（圧力監視用ポート）に取り付けられる。そして、カバー部材４が、圧力監視系７及び圧力検出器１２を覆って前述のように二次蓋３に取り付けられる。圧力検出器１２には、検出信号を伝送するケーブル１３が接続されており、このケーブル１３はカバー部材４の側壁部に形成された開口部５を通してカバー部材４の外部に伸びている。
【手続補正４】
【補正対象書類名】明細書
【補正対象項目名】００４６
【補正方法】変更
【補正の内容】
【００４６】
カバー部材４が二次蓋３から取り外され、カバー２８がトレイ部材２７から取り外される。カバー部材４が取り外された後、各窪み４２においてブロック４１内に形成された圧力伝播通路に連絡された圧力伝播管から各圧力検出器１２を取り外す。そして、輸送用カバー３１が、図６に示すように、圧力監視系７を覆って複数のボルト６により二次蓋３に取り付けられる。また、カバー２８が取り外されたトレイ部材２７内に敷設された２本のケーブル１３及び１本のケーブル１４Ａが、トレイ部材２７から外部に取り出される。トレイ部材２７を外筒２の側面に固定している各ケーブルトレイ固定装置２６のそれぞれのマグネットホルダー４３において、ストッパ１８にねじ込まれたロックナット付きボルトを取り外し、切換レバー１７をＯＦＦの位置まで回転させることにより、各マグネットホルダー４３を順番に外筒２の側面から取り外す。この結果、トレイ部材２７が外筒２の側面から取り外される。そして、温度検出器固定装置１６のマグネットホルダー４４も、ストッパ１８にねじ込まれたロックナット付きボルトを取り外して切換レバー１７をＯＦＦの位置まで回転させることにより、外筒２の側面から取り外される。この結果、温度検出器１４が外筒２の側面から取り外される。その後、貯蔵架台３６上に設置された、使用済燃料集合体を収納した放射性物質収納容器１を、放射性物質貯蔵施設内の貯蔵エリアから核燃料再処理施設に搬送される。
【手続補正５】
【補正対象書類名】明細書
【補正対象項目名】００４９
【補正方法】変更
【補正の内容】
【００４９】
放射性物質貯蔵施設から放射性物質貯蔵施設外の他の場所（例えば、核燃料再処理施設）に使用済燃料集合体を収納した放射性物質収納容器１を搬送する場合には、監視装置１１を放射性物質収納容器１から取り外す必要があるが、ケーブルトレイ１５及び温度検出器１４を放射性物質収納容器１に取り付ける場合とは逆に、マグネットホルダー４３及び４４のそれぞれの切換レバー１７をＯＦＦの位置まで回転させることによって、ケーブルトレイ１５及び温度検出器１４を放射性物質収納容器１から簡単に取り外すことができる。監視装置１１の放射性物質収納容器１からの取り外しに要する時間を短縮することができる。このため、放射性物質貯蔵施設から放射性物質貯蔵施設外の他の場所（例えば、核燃料再処理施設）への使用済燃料集合体を収納した放射性物質収納容器１の搬送が容易になる。
【手続補正６】
【補正対象書類名】明細書
【補正対象項目名】００５３
【補正方法】変更
【補正の内容】
【００５３】
後述の実施例４のように、ケーブル１３及び１４Ａを内部に敷設しているケーブルトレイ１５を、ケーブルトレイ固定装置２６を用いて放射性物質収納容器１の外面に固定してもよい。この場合には、カバー２８を外した状態でトレイ部材２７内にケーブル１３及び１４Ａを敷設し、トレイ部材２７にカバー２８を取り付けてトレイ部材２７の上方を封鎖し、その後、ケーブルトレイ固定装置２６の各マグネットホルダー４３を放射性物質収納容器１の外面に接触させる。そして、各マグネットホルダー４３の切換レバー１７をＯＮの位置まで回転させて各マグネットホルダー４３を放射性物質収納容器１の外面に固定する。実施例２におけるケーブルトレイ固定装置２６Ａ及び実施例３におけるケーブルトレイ固定装置２６Ｂを用いた場合においても、同様に、ケーブル１３及び１４Ａを内部に敷設しているケーブルトレイ１５を放射性物質収納容器１の外面に固定してもよい。
【手続補正７】
【補正対象書類名】明細書
【補正対象項目名】００５７
【補正方法】変更
【補正の内容】
【００５７】
使用済燃料集合体を収納した放射性物質収納容器１が放射性物質貯蔵施設内の貯蔵エリアに搬入されて貯蔵架台３６上に設置された後、マグネットホルダー４３の切換レバー１７をＯＦＦの位置に回した状態で、マグネットホルダー４３を外筒２の側面上に置き、切換レバー１７をＯＮの位置に回すことによってマグネットホルダー４３が外筒２の側面に固定される。この結果、ケーブルトレイ１５が外筒２の側面に固定される。
【手続補正８】
【補正対象書類名】明細書
【補正対象項目名】００６３
【補正方法】変更
【補正の内容】
【００６３】
使用済燃料集合体を収納した放射性物質収納容器１が放射性物質貯蔵施設内の貯蔵エリアに搬入されて貯蔵架台３６上に設置された後、ケーブルトレイ固定装置２６Ｂの各マグネットホルダー４３の切換レバー１７をＯＦＦの位置に回した状態で、各マグネットホルダー４３を外筒２の側面上に置き、切換レバー１７をＯＮの位置に回すことによって各マグネットホルダー４３が外筒２の側面に固定される。この結果、ケーブルトレイ１５が外筒２の側面に固定される。
【手続補正９】
【補正対象書類名】明細書
【補正対象項目名】００６８
【補正方法】変更
【補正の内容】
【００６８】
本実施例における監視装置の固定方法では、実施例１において用いられたケーブルトレイ固定装置２６の替りに、図１０に示された電線管固定装置２６Ｃを用いており、さらにケーブルトレイ１５の替りに電線管３７を用いている。二つの圧力検出器１２にそれぞれ接続されたケーブル（２本のケーブル）１３、及び温度検出器１４に接続された１本のケーブル１４Ａが、電線管３７内に敷設されている。
【手続補正１０】
【補正対象書類名】明細書
【補正対象項目名】００７１
【補正方法】変更
【補正の内容】
【００７１】
使用済燃料集合体を収納した放射性物質収納容器１が放射性物質貯蔵施設内の貯蔵エリアに搬入されて貯蔵架台３６上に設置された後、電線管固定装置２６Ｃの各マグネットホルダー４３の切換レバー１７をＯＦＦの位置に回した状態で、各マグネットホルダー４３を外筒２の側面上に置き、切換レバー１７をＯＮの位置に回すことによって各マグネットホルダー４３が外筒２の側面に固定される。この結果、電線管３７が外筒２の側面に固定される。
【手続補正１１】
【補正対象書類名】明細書
【補正対象項目名】００７６
【補正方法】変更
【補正の内容】
【００７６】
１…放射性物質収納容器、２…外筒、３…二次蓋、４…カバー部材、７…圧力監視系、１１…監視装置、１２…圧力検出器、１３，１４Ａ…ケーブル、１４…温度検出器、１５…ケーブルトレイ、１６…温度検出器固定装置、１７…切換レバー、１８…ストッパ、１９…支持金具、２０…押し付け部材、２１…押さえ金具、２２…溝、２６，２６Ａ，２６Ｂ…ケーブルトレイ固定装置、２６Ｃ…電線管固定装置、２７…トレイ部材、２８…カバー、３１…輸送用カバー、３２…フレーム、３４…端子箱、３７…電線管、４３，４４…マグネットホルダー、４５Ａ，４５Ｂ…フレキシブルチューブ。